(57)【要約】【課題】配管を構成する２つの管を接続するとともに、当該配管を周方向に位置ずれすることなく固定部に取り付けることができるブラケット付き管継手を提供する。【解決手段】ブラケット付き管継手10は、第１の管P1の管端に固定されたユニオンねじ11、第２の管P2の管端に設けられたユニオンつば部12、第２の管P2に回転自在に取り付けられたユニオンナット13、および第１の管P1に取り付けられる配管取付用ブラケット14を備えている。ブラケット14は、ユニオンねじ11の円筒部17が通される貫通穴25を有するベース部24と、ベース部24に固定状に設けられた張り出し部26とよりなる。配管取付用ブラケット14のベース部24の貫通穴25の内周面とユニオンねじ11の円筒部17の外周面との間に、互いに嵌り合う位置決め用凹部20および位置決め用凸部27を形成する。【選択図】図３
2012007680.tif 000002
【特許請求の範囲】
【請求項１】
配管を構成する２つの管を接続するとともに、当該配管を固定部に取り付けるブラケット付き管継手であって、
第１の管の管端に固定されたユニオンねじ、第２の管の管端に設けられたユニオンつば部、第２の管に回転自在に取り付けられかつユニオンねじとユニオンつば部とを連結するユニオンナット、および第１の管に取り付けられる配管取付用ブラケットを備えており、配管取付用ブラケットが、ユニオンねじにおける頭部とねじ部との間の円筒部が通される貫通穴を有するベース部と、ベース部に固定状に設けられかつ固定部に固定される張り出し部とよりなり、配管取付用ブラケットのベース部の貫通穴の内周面と、ユニオンねじの円筒部の外周面との間に、互いに嵌り合う位置決め用凹部および位置決め用凸部が形成され、配管取付用ブラケットのベース部が、ユニオンねじにねじ嵌められたユニオンナットとユニオンねじの頭部とにより挟着されるようになっているブラケット付き管継手。
【請求項２】
ユニオンねじの円筒部の外周面に位置決め用凹部が形成され、配管取付用ブラケットのベース部の貫通穴の内周面に位置決め用凹部に嵌る位置決め用凸部が形成されている請求項１記載のブラケット付き管継手。
【発明の詳細な説明】
【技術分野】
【０００１】
この発明は、配管を構成する２つの管を接続するとともに、当該配管を固定部に取り付けることができるブラケット付き管継手に関する。
【背景技術】
【０００２】
たとえば自動車などの車両に用いられる配管は、配管取付用ブラケットを用いて車体の固定部に取り付けられるのが一般的である。
【０００３】
従来、この種の配管取付用ブラケットとして、配管の外周に沿う半円筒状部を有する第１ブラケット部材と、配管の外周に沿う半円筒状部および半円筒状部に固定状に設けられかつ固定部に固定される張り出し部よりなる第２ブラケット部材と、両ブラケット部材を相互に固定するねじ部品とからなるものが知られている（特許文献１参照）。
【０００４】
しかしながら、特許文献１記載の取付用ブラケットでは、両ブラケット部材を配管に固定するとともに、第２ブラケット部材の張り出し部材をねじ部品などにより固定部に固定する際に、配管が周方向に位置ずれする可能性がある。
【０００５】
また、配管は複数の管を接続することにより構成されるが、特許文献１記載の取付用ブラケットは、管を接続する機能を有しておらず、別途管継手を用意して管を接続する必要があり、作業性が悪い。
【先行技術文献】
【特許文献】
【０００６】
【特許文献１】特開２００８−１４０６６０号公報
【発明の概要】
【発明が解決しようとする課題】
【０００７】
この発明の目的は、上記問題を解決し、配管を構成する２つの管を接続するとともに、当該配管を周方向に位置ずれすることなく固定部に取り付けることができるブラケット付き管継手を提供することにある。
【課題を解決するための手段】
【０００８】
本発明は、上記目的を達成するために以下の態様からなる。
【０００９】
1)配管を構成する２つの管を接続するとともに、当該配管を固定部に取り付けるブラケット付き管継手であって、
第１の管の管端に固定されたユニオンねじ、第２の管の管端に設けられたユニオンつば部、第２の管に回転自在に取り付けられかつユニオンねじとユニオンつば部とを連結するユニオンナット、および第１の管に取り付けられる配管取付用ブラケットを備えており、配管取付用ブラケットが、ユニオンねじにおける頭部とねじ部との間の円筒部が通される貫通穴を有するベース部と、ベース部に固定状に設けられかつ固定部に固定される張り出し部とよりなり、配管取付用ブラケットのベース部の貫通穴の内周面と、ユニオンねじの円筒部の外周面との間に、互いに嵌り合う位置決め用凹部および位置決め用凸部が形成され、配管取付用ブラケットのベース部が、ユニオンねじにねじ嵌められたユニオンナットとユニオンねじの頭部とにより挟着されるようになっているブラケット付き管継手。
【００１０】
2)ユニオンねじの円筒部の外周面に位置決め用凹部が形成され、配管取付用ブラケットのベース部の貫通穴の内周面に位置決め用凹部に嵌る位置決め用凸部が形成されている上記1)記載のブラケット付き管継手。
【発明の効果】
【００１１】
上記1)のブラケット付き管継手によれば、第１の管の管端に固定されたユニオンねじ、第２の管の管端に設けられたユニオンつば部、第２の管に回転自在に取り付けられかつユニオンねじとユニオンつば部とを連結するユニオンナット、および第１の管に取り付けられる配管取付用ブラケットを備えており、配管取付用ブラケットが、ユニオンねじにおける頭部とねじ部との間の円筒部が通される貫通穴を有するベース部と、ベース部に固定状に設けられかつ固定部に固定される張り出し部とよりなり、配管取付用ブラケットのベース部の貫通穴の内周面と、ユニオンねじの円筒部の外周面との間に、互いに嵌り合う位置決め用凹部および位置決め用凸部が形成され、配管取付用ブラケットのベース部が、ユニオンねじにねじ嵌められたユニオンナットとユニオンねじの頭部とにより挟着されるようになっているので、ユニオンナットをユニオンねじにねじ嵌めることによって２つの管を接続して配管を構成するとともに、位置決め用凹部および位置決め用凸部の働きにより、配管取付用ブラケットを配管の周方向に位置ずれすることなく固定することができる。したがって、配管取付用ブラケットの張り出し部をねじ部品などにより固定部に固定することによって、配管を周方向に位置ずれすることなく固定部に取り付けることができる。
【００１２】
上記2)のブラケット付き管継手によれば、ユニオンねじの円筒部の外周面に位置決め用凹部が形成され、配管取付用ブラケットのベース部の貫通穴の内周面に位置決め用凹部に嵌る位置決め用凸部が形成されているので、ユニオンねじの円筒部に加工を施して凹部を形成するだけでよく、ユニオンねじに施す加工が容易になる。
【図面の簡単な説明】
【００１３】
【図１】この発明の実施形態１のブラケット付き管継手を用いて管が接続された配管を有する冷凍サイクルを示す図である。
【図２】この発明の実施形態１のブラケット付き管継手を示す縦断面図である。
【図３】図１のブラケット付き管継手の分解斜視図である。
【図４】ブラケット付き管継手のユニオンねじおよび配管取付用ブラケットの変形例を示す分解斜視図である。
【発明を実施するための形態】
【００１４】
以下、この発明の実施形態を、図面を参照して説明する。なお、以下の説明において、図２の左右を左右というものとする。
【００１５】
図１は車両用空調装置を構成する冷凍サイクルを示し、図２および図３は冷凍サイクルの配管を構成する管を接続するブラケット付き管継手を示す。
【００１６】
図１において、車両用空調装置を構成する冷凍サイクルは、たとえばフロン系の冷媒が用いられるものであって、コンプレッサ(1)と、凝縮部(3)、凝縮部(3)から流出した冷媒を気相と液相とに分離する受液器(4)および過冷却部(5)を有するコンデンサ(2)と、エバポレータ(6)と、エバポレータ(6)に流入する冷媒を減圧する減圧器としての膨張弁(7)とが配管(8)により接続されたものであり、一端部がコンデンサ(2)の過冷却部(5)の冷媒出口に接続された第１の管(P1)と、一端部が膨張弁(7)に接続された第２の管(P2)とが、ブラケット付き管継手(10)により内部通路どうしが通じるように接続されている。
【００１７】
図２および図３に示すように、第１および第２の管(P1)(P2)どうしを接続するとともに、配管(8)を車両の固定部(S)に固定するブラケット付き管継手(10)は、第１の管(P1)の管端に固定されたユニオンねじ(11)、第２の管(P2)の管端に設けられたユニオンつば部(12)、第２の管(P2)に回転自在に取り付けられかつユニオンねじ(11)とユニオンつば部(12)とを連結するユニオンナット(13)、および第１の管(P1)に取り付けられる配管取付用ブラケット(14)を備えている。
【００１８】
ユニオンねじ(11)は、六角形の頭部(15)、ねじ部(16)、および頭部(15)とねじ部(16)との間に設けられかつねじ部(16)の山径以上の外径を有する円筒部(17)を備えている。ユニオンねじ(11)には、その軸方向にのびかつ頭部(15)の端面からねじ部(16)の端面に至る段付きの管挿入穴(18)が貫通状に形成されている。そして、第１の管(P1)の端部が管挿通穴(18)内に挿入された後、管挿入穴(18)の内周面に密着するように拡管されることによって、ユニオンねじ(11)が第１の管(P1)に固定されている。第１の管(P1)における管挿入穴(18)の左側部分を除いた大径部内に位置する部分の内部が、右方に開口しかつ内周面が円筒面となされた嵌合凹部(19)となっている。また、ユニオンねじ(11)の円筒部(17)には、その右端面から左方にのびる位置決め用凹部(20)が形成されている。
【００１９】
ユニオンつば部(12)は、第２の管(P2)に一体に形成された環状ビードからなる。第２の管(P2)におけるユニオンつば部(12)よりも先端側の部分が、外周面が円筒面となされかつ嵌合凹部(19)内に挿入される嵌合凸部(21)となっている。嵌合凸部(21)の外周面にはＯリング装着用の環状溝(22)が全周にわたって形成されており、環状溝(22)内に、第１の管(P1)の嵌合凹部(19)の内周面と、第２の管(P2)の嵌合凸部(21)の外周面との間をシールするＯリング(23)が装着されている。
【００２０】
配管取付用ブラケット(14)は、ユニオンねじ(11)の円筒部(17)が通される貫通穴(25)を有するベース部(24)と、ベース部(24)に固定状に設けられかつ固定部(S)に固定される張り出し部(26)とよりなる。配管取付用ブラケット(14)のベース部(24)の貫通穴(25)の内周面には、ユニオンねじ(11)の円筒部(17)の位置決め用凹部(20)内に嵌る位置決め用凸部(27)が形成されている。配管取付用ブラケット(14)の張り出し部(26)には、たとえば固定部(S)にねじ嵌められるねじ部品（図示略）を通す貫通穴(28)が形成されている。
【００２１】
第１の管(P1)と第２の管(P2)とは次のようにして接続されて配管(8)が構成されるとともに、配管(8)が固定部(S)に固定される。
【００２２】
すなわち、まずユニオンねじ(11)の円筒部(17)を、位置決め用凹部(20)内に位置決め用凸部(27)が嵌るように、配管取付用ブラケット(14)のベース部(24)の貫通穴(25)内に通すことによって、ベース部(24)に対して第１の管(P1)の周方向の位置決めを行う。ついで、第１の管(P1)の嵌合凹部(19)内に第２の管(P2)の嵌合凸部(21)を嵌め入れた後、ユニオンナット(13)をユニオンねじ(11)のねじ部(16)にねじ嵌めることによって、ユニオンねじ(11)とユニオンつば部(12)とを連結するとともに、ユニオンナット(13)とユニオンねじ(11)の頭部(15)とにより配管取付用ブラケット(14)のベース部(24)を挟着して配管取付用ブラケット(14)を両管(P1)(P2)に固定する。最後に、配管取付用ブラケット(14)の張り出し部(26)の貫通穴(28)に通したねじ部品を利用して、張り出し部(26)を固定部(S)に固定する。こうして、第１の管(P1)と第２の管(P2)とが接続されて配管(8)が構成されるとともに、配管(8)が固定部(S)に固定される。
【００２３】
上記実施形態においては、ユニオンつば部が第２の管に一体に形成された環状ビードからなるが、これに限定されるものではなく、別個に形成されたものが第２の管に固定されていてもよい。
【００２４】
図４はユニオンねじと配管取付用ブラケットの変形例を示す。
【００２５】
図４のユニオンねじ(30)における頭部(15)とねじ部(16)との間の円筒部(31)の外径は、上述した実施形態のユニオンねじ(11)の円筒部(17)の外径よりも小さくかつねじ部(16)の山径以上の外径を有している。円筒部(31)に、径方向外方に突出した位置決め用凸部(32)が形成されている。
【００２６】
また、配管取付用ブラケット(33)のベース部(24)の貫通穴(34)の内径は、上述した実施形態の配管取付用ブラケット(14)のベース部(24)の貫通穴(25)の内径よりも小さくなっている。配管取付用ブラケット(33)のベース部(24)の貫通穴(34)の内周面には、ユニオンねじ(30)の円筒部(31)の位置決め用凸部(32)が嵌る位置決め用凹部(35)が形成されている。
【００２７】
図４に示すユニオンねじ(30)および配管取付用ブラケット(33)を備えたブラケット付き管継手の構成は、上述した実施形態のブラケット付き管継手(10)と同様である。そして、ユニオンねじ(11)の円筒部(31)を、位置決め用凹部(35)内に位置決め用凸部(32)が嵌るように、配管取付用ブラケット(33)のベース部(24)の貫通穴(34)内に通すことによって、ベース部(24)に対して第１の管(P1)の周方向の位置決めを行うことを除いては、上述した実施形態のブラケット付き管継手(10)の場合と同様にして、第１の管(P1)と第２の管(P2)とが接続されて配管(8)が構成されるとともに、配管(8)が固定部(S)に固定される。
【産業上の利用可能性】
【００２８】
この発明によるブラケット付き管継手は、カーエアコンを構成する冷凍サイクルの配管を構成する管を接続するとともに、当該配管を固定部に固定するのに好適に用いられる。
【符号の説明】
【００２９】
(8)：配管
(10)：ブラケット付き管継手
(11)(30)：ユニオンねじ
(12)：ユニオンつば部
(13)：ユニオンナット
(14)(33)：配管取付用ブラケット
(15)：頭部
(16)：ねじ部
(17)(31)：円筒部
(20)(35)：位置決め用凹部
(27)(32)：位置決め用凸部
(24)：ベース部
(25)(34)：貫通穴
(26)：張り出し部
(P1)：第１の管
(P2)：第２の管
(S)：固定部
【図１】
2012007680.tif 000003
【図２】
2012007680.tif 000004
【図３】
2012007680.tif 000005
【図４】
2012007680.tif 000006